(57)【特許請求の範囲】
【請求項１】
本体内に配設された電動送風機と、
該電動送風機により吸引された空気に含まれる塵埃を捕集する集塵袋を内包する集塵器と、
前記本体内に前記集塵器を収容する集塵器室と、を備え、
前記集塵器は、一面が開口した略直方体形状の集塵器本体と、前記集塵器本体の開口面を開閉自在に閉塞する蓋体と、を備え、
前記集塵器本体は、
前記開口面と直交する一面に前記集塵袋を着脱自在に装着するための装着面を有し、
前記装着面には、前記集塵袋が装着される集塵袋装着部と、前記集塵袋装着部を前記装着面に対して摺動自在に保持する摺動保持部とが設けられ、
前記集塵袋装着部は前記集塵袋と一緒に前記集塵器本体外へ引き出し可能に構成されていることを特徴とする電気掃除機。
【請求項２】
前記集塵袋は、塵埃を内部へ導入するための導入口が設けられた板状の口枠体を備え、
前記集塵器本体は、前記装着面に前記導入口と前記本体内の風路を連通する連通口を備え、
前記集塵袋は、前記装着面と平行に前記口枠体を移動させて前記集塵袋装着部に装着するようにしたことを特徴とする請求項１に記載の電気掃除機。
【請求項３】
前記摺動保持部には、前記集塵袋装着部の引出し時に前記集塵袋装着部をガイドするためのガイドリブが設けられ、該ガイドリブは前記口枠体の倒れ規制部材を兼ねていることを特徴とする請求項２に記載の電気掃除機。
【請求項４】
前記集塵器は、前記集塵器本体に設けられた前記集塵袋の前記装着面が斜め上方を向くように、傾斜させて前記本体に収容されていることを特徴とする請求項２又は請求項３に記載の電気掃除機。
【請求項５】
本体内に配設された電動送風機と、
該電動送風機により吸引された空気に含まれる塵埃を捕集する集塵袋を内包する集塵器と、前記本体内に前記集塵器を収容する集塵器室と、を備え、
前記集塵袋は、塵埃を内部へ導入するための導入口と、該導入口周辺に板状の口枠体を備え、
前記集塵器は、
一面が開口した略直方体形状の集塵器本体の開口面と直交する一面で前記集塵袋が着脱自在に装着される装着面に、前記導入口と前記本体内の風路を連通する連通口と、摺動自在に引出し可能な集塵袋装着部と、該集塵袋装着部の摺動をガイドし前記口枠体の倒れ規制部材を兼ねているガイドリブが設けられた前記集塵袋装着部を摺動自在に保持する摺動保持部を備えた集塵器本体と、
該集塵器本体に回動自在に軸支され前記開口を開閉自在に閉塞する蓋体と、を備え、
前記集塵袋は、前記装着面と平行に前記口枠体を移動させて前記集塵袋装着部に装着するようにしたことを特徴とする電気掃除機。
【請求項６】
前記集塵袋装着部は、集塵袋受け部と、該集塵袋受け部に回動自在に軸支された引出し作業のための引き手部を備え、該引き手部は付勢手段により前記集塵袋から離れる方向へ付勢されていることを特徴とする請求項２乃至請求項５何れか１項に記載の電気掃除機。
【請求項７】
前記引き手部は、前記集塵器の前記蓋体を閉塞する動作の途中で該蓋体と接触し、さらに前記蓋体を閉塞方向に移動させると該蓋体に押され、前記付勢手段の付勢力に抗して前記集塵袋へ接近する方向へ移動し、前記蓋体が閉塞状態となったとき前記口枠体を保持する位置まで移動することを特徴とする請求項６に記載の電気掃除機。
【請求項８】
前記集塵袋装着部に、前記集塵袋を装着すると前記口枠体によって押し込まれて前記蓋体の回動範囲から外れ、前記集塵袋を装着しないと前記蓋体の回動範囲に突出して前記蓋体を閉塞できないようにする集塵袋検知手段を備えたことを特徴とする請求項２乃至請求項７の何れか１項に記載の電気掃除機。
【請求項９】
前記蓋体に、該蓋体を閉塞したときに前記集塵袋を所定の位置に保持するため、前記口枠体の位置決めリブを設けたことを特徴とする請求項２乃至請求項８の何れか１項に記載の電気掃除機。
【請求項１０】
前記集塵器には、吸引された空気の流れる方向と並行して前記集塵袋の膨らみ規制リブが設けられていることを特徴とする請求項２乃至請求項９の何れか１項に記載の電気掃除機。
【請求項１１】
前記集塵袋は折りたたまれていて、展開したときに略長方体形状をしており、
展開長が長い方向と、前記集塵器の前記装着面及び前記開口面に平行な長辺方向とが同一方向となるように前記集塵器本体に装着されていることを特徴とする請求項２乃至請求項１０の何れか１項に記載の電気掃除機。
【請求項１２】
前記集塵器の前記装着面及び前記開口面に平行な長辺方向の外側寸法は、前記本体の最小幅寸法より大きいことを特徴とする請求項２乃至請求項１１の何れか１項に記載の電気掃除機。
【請求項１３】
前記集塵器の前記装着面及び前記開口面に平行な長辺方向の内側寸法は、前記集塵袋の最大展開寸法より小さく、前記口枠体の幅寸法の略２倍であることを特徴とする請求項２乃至請求項１２の何れか１項に記載の電気掃除機。
【請求項１４】
前記集塵器は、前記装着面及び前記開口面に平行な長辺方向が前記集塵器室への装着方向であることを特徴とする請求項２乃至請求項１３の何れか１項に記載の電気掃除機。
【請求項１５】
前記集塵器はハンドルを備え、前記集塵器が前記本体に取付けられた状態の時には、前記ハンドルは前記本体移動用のハンドルと兼ねていることを特徴とする請求項２乃至請求項１４の何れか１項に記載の電気掃除機。
【発明の詳細な説明】
【技術分野】
【０００１】
本発明は電気掃除機、詳しくは集塵袋を装着する集塵器を備えた電気掃除機に関するものである。
【背景技術】
【０００２】
従来、集塵袋を備えた電気掃除機として、集塵部に集塵袋を取付けてから本体に装着したものがある。集塵袋には口板が設けられていて、集塵部の奥側壁面に設けられた取付け部に集塵袋の口板を装着するようになっている。（例えば、特許文献１参照）。
【先行技術文献】
【特許文献】
【０００３】
【特許文献１】特開２００６−３４６２７７号公報（第６頁、第７頁、図１、図２）
【発明の概要】
【発明が解決しようとする課題】
【０００４】
特許文献１に記載の従来の電気掃除機においては、集塵部の開口面と対向する奥側壁面に集塵袋の口板を取り付けるようになっており、取り付け箇所が見にくい、奥側壁面であるので装着作業がしにくい、塵埃を捕集した後の集塵袋は取り付け箇所を覆うように膨れるので取り付け箇所が隠れ取り出しにくい等、作業性に課題があった。
【０００５】
本発明は、前述のような課題を解決するためになされたものであり、取り付け箇所の確認が容易で、集塵袋の集塵器への脱着作業がしやすい電気掃除機を提供することを目的とする。
【課題を解決するための手段】
【０００６】
本発明に係る電気掃除機は、本体内に配設された電動送風機と、電動送風機により吸引された空気に含まれる塵埃を捕集する集塵袋を内包する集塵器と、本体内に集塵器を収容する集塵器室と、を備え、集塵器は、一面が開口した略直方体形状の集塵器本体と、集塵器本体の開口面を開閉自在に閉塞する蓋体と、を備え、集塵器本体は、開口面と直交する一面に集塵袋を着脱自在に装着するための装着面を有し、装着面には、集塵袋が装着される集塵袋装着部と、集塵袋装着部を装着面に対して摺動自在に保持する摺動保持部とが設けられ、集塵袋装着部は集塵袋と一緒に集塵器本体外へ引き出し可能に構成されているものである。
【発明の効果】
【０００７】
本発明の集塵器は、長辺方向の一側面が開口し、開口した面と直交する一面に集塵袋を装着するようにしたので、集塵袋の装着位置の確認が容易となり装着しやすくなるので作業性を向上することができる。
【図面の簡単な説明】
【０００８】
【図１】本発明の実施の形態に係る電気掃除機全体の斜視図である。
【図２】本発明の実施の形態に係る電気掃除機本体の上面図である。
【図３】本発明の実施の形態に係る電気掃除機本体中心近傍、図２Ａ−Ａでの断面図である。
【図４】本発明の実施の形態に係る電気掃除機の集塵器の斜視図である。
【図５】（ａ）本発明の実施の形態に係る電気掃除機の集塵器の正面図、（ｂ）本発明の実施の形態に係る電気掃除機の集塵器の側面図、（ｃ）本発明の実施の形態に係る電気掃除機の集塵器の背面図である。
【図６】本発明の実施の形態に係る電気掃除機の集塵袋の模式斜視図である。
【図７】本発明の実施の形態に係る電気掃除機の集塵器へ集塵袋を装着する状態の斜視図である。
【図８】集塵袋装着部の斜視図である。
【図９】本発明の実施の形態に係る電気掃除機の集塵袋を装着し蓋体を閉じた集塵器を本体装着面側から見た断面図である。
【図１０】本発明の実施の形態に係る電気掃除機の集塵袋を装着していない集塵器を本体装着面側から見た側面図である。
【図１１】本発明の実施の形態に係る電気掃除機の集塵器から集塵袋を取り出した状態の斜視図である。
【発明を実施するための形態】
【０００９】
図１は本発明の実施の形態に係る電気掃除機全体の斜視図、図２は本発明の実施の形態に係る電気掃除機本体の上面図、図３は本発明の実施の形態に係る電気掃除機本体中心近傍、図２Ａ−Ａでの断面図である。
なお、それぞれの図において、同じ部分または相当する部分には同じ符号を付し、一部の説明を省略する。
以下、図１〜図３により本発明の実施の形態の電気掃除機の構成について説明する。
【００１０】
図１に示すように、１００は本発明の実施の形態の電気掃除機であり、本体１とホース体６と集塵器８を備えている。本体１は図１〜図２に示すように、樹脂成形で形成された本体１の上部を構成する上ケース２と本体１の前部を構成する前ケース３と本体１の下部を構成する下ケース４により構成されている。
【００１１】
ホース体６は図１に示すように塵埃を吸引するための吸込具６ｆと、伸縮構造を有する硬質延長管部６ｅと、電気掃除機１００を操作するための入力を行う操作部６ｄを備え電気掃除機１００の取り回しおよび吸込具６ｆを操る把持部６ｃと、例えば蛇腹のような可撓性を有する軟質管部６ｂと、挿入部６ａとにより構成されている。
【００１２】
本体１において、前ケース３にはホース体接続部５が設けられており、ホース体接続部５のホース体接続口７に、図１に示すようにホース体６の一端部に設けられた挿入部６ａを着脱自在に接続できるようになっている。そして、ホース体６の把持部６ｃを持って牽引すると、本体１の両側面後方に設けられた車輪９ａと本体１の下面に設けられたキャスター９ｂにより電気掃除機１００が自在に移動できるようになっている。
【００１３】
図３に示すように、本体１内にはホース体接続口７と連通空気経路１９ａを介して連通口２３で連通した集塵器８が集塵器室１０に収容されている（集塵器８の構成については後段で詳述する）。集塵器８には通気性があり袋状の紙パックと呼ばれる集塵袋１１が装着されている。
【００１４】
集塵器８の空気経路下流には集塵器８の排気口と連通空気経路１９ｂを介して連通する電動送風機収納室２０に収納された塵埃を吸引するための吸引風を発生させる電動送風機２１が配設されている。
【００１５】
集塵器８は本体１の前側から後側に向かって傾斜するように本体１内の集塵器室１０に収容されていて、その傾斜に合わせ電動送風機２１も傾斜して電動送風機収納室２０内に配設されているので、集塵器８と電動送風機２１間の空気経路は屈曲することなく直線的に構成されていて吸気の圧損が抑えられている。
【００１６】
さらに、本体１内には操作部６ｄからの入力により電動送風機２１の駆動等を制御するための制御基板２２等が配設されている。
【００１７】
ここで空気の流れを説明すると、電動送風機２１を駆動させることで吸引風が発生し塵埃を含んだ空気が図１に示す吸込具６ｆから吸引される。吸引された塵埃を含んだ空気はホース体６を通り、ホース体接続部５のホース体接続口７で連通された連通空気経路１９ａを経由し集塵器８の連通口２３へ流れる。
【００１８】
集塵器８に装着された集塵袋１１において塵埃が捕集され、塵埃が取り除かれた空気が、排気口１８を通り連通空気経路１９ｂを経由して電動送風機２１に吸引され、電動送風機２１から排気された空気が本体１内の空気経路（図示せず）を経由して制御基板２２等を冷却した後、制御基板２２等より下流の空気経路（図示せず）を通過し、図２に示す本体１の後方上部に設けられた排気口３６から本体１外へ排出されるようになっている。
【００１９】
次に図４〜図１１により本発明の実施の形態の電気掃除機の集塵器８の構成と集塵袋１１の装着構造、及び集塵袋１１の着脱動作について説明する。
図４は本発明の実施の形態に係る電気掃除機の集塵器の斜視図、図５（ａ）は本発明の実施の形態に係る電気掃除機の集塵器の正面図、図５（ｂ）は本発明の実施の形態に係る電気掃除機の集塵器の側面図、図５（ｃ）は本発明の実施の形態に係る電気掃除機の集塵器の背面図、図６は本発明の実施の形態に係る電気掃除機の集塵袋の模式斜視図、図７は本発明の実施の形態に係る電気掃除機の集塵器へ集塵袋を装着する状態の斜視図、図８は集塵袋装着部の斜視図、図９は本発明の実施の形態に係る電気掃除機の集塵袋を装着し蓋体を閉じた集塵器を本体装着面側から見た断面図、図１０は本発明の実施の形態に係る電気掃除機の集塵袋を装着していない集塵器を本体装着面側から見た側面図、図１１は本発明の実施の形態に係る電気掃除機の集塵器から集塵袋を取り出した状態の斜視図である。
なお、それぞれの図において、同じ部分または相当する部分には同じ符号を付し、一部の説明を省略する。
【００２０】
集塵器８は、前述したように吸引された空気に含まれる塵埃を捕集するためのものである。集塵器８は、図４、図５（ａ）、（ｂ）、（ｃ）に示す樹脂成形で形成された一面が開口した箱状の集塵器本体１３と、その開口面を閉塞するための蓋体１４により容器部分が構成されており、その容器部分に後述する集塵袋１１を収容している。
【００２１】
さらに本体１の外観の一部を構成する樹脂成形で形成されたカバー１７と樹脂成形で形成されたハンドル１２が取り付けられている。このハンドル１２は集塵器８が本体１からとり外されている場合の取扱いで使用されるが、集塵器８が本体１に取付けられている場合には図１や図２に示すように本体１の上面に配設され、本体１移動用としても使用される兼用のハンドルとなっている。
【００２２】
それから、集塵器本体１３の連通口２３を開閉するシャッター２４が回動自在に取付けられている。シャッター２４は、閉塞方向に付勢するバネ（図示せず）により本体１から分離した状態では閉塞するようになっていて、本体１から集塵器８を取り外したときに集塵袋１１の袋体１１ｂに捕集された塵埃が外へこぼれないようになっている。
【００２３】
このシャッター２４は本体１に集塵器８を取り付けるときには、その過程で集塵器室１０内に設けられたリブ（図示せず）と掛かり部２４ａが接触し、バネ（図示せず）の付勢力に抗してシャッター２４が開放していき、取り付いた状態で完全に開放するようになっている。
【００２４】
集塵器８は図２のように本体１内に設けられた集塵器室１０に係止手段（図示せず）によって係止されていて、集塵器８に設けられている係止解除ボタン３５ａと、本体１に設けられている係止解除ボタン３５ｂを操作するとそれぞれ係止手段（図示せず）が解除され、集塵器室１０から取り出せるようになり本体１から分離可能となる。
【００２５】
それから、図５（ａ）、（ｂ）に示すように集塵器８は、集塵器本体１３と蓋体１４で構成される容器部分が幅方向のＬ２寸法約１７８ｍｍに対し、本体１への取り付け方向であるＬ１寸法約２１６ｍｍとなっていて、Ｌ２＜Ｌ１の関係となり取り付け方向の寸法の方が長くなっている。このＬ１寸法は図２に示す本体１の幅方向の内、最小幅のＷ１寸法および集塵器室１０の高さＷ２寸法よりも長くなっているが、前述のように集塵器８は本体１の前側から後側に向かって傾斜するように本体１内の集塵器室１０に収容するようにしたので、本体幅を大きくすることなく収容が可能となっている。また、本体１の前側から後側に向かって傾斜するように配設したので本体の高さ方向の寸法も抑えられ、不必要に大きくならないようになっている。
【００２６】
また、集塵器８には前述したように集塵袋１１が装着されていて、集塵袋１１は図６に示すように口枠体１１ａと袋体１１ｂを接着剤等で接合して構成されている。口枠体１１ａはほぼ正方形で厚みのある紙でできていて、中央部に導入口１１ｃが設けられている。
【００２７】
口枠体１１ａの幅方向寸法のＬ４寸法は約１００ｍｍであるが、集塵器８容器部分の長辺方向内側寸法のＬ３寸法は約２００ｍｍで、従来約１３０ｍｍ〜約１５０ｍｍ、１．３〜１．５倍程度であった寸法に対してほぼ２倍となっている。
【００２８】
袋体１１ｂは吸引した塵埃を濾し取り塵埃のみを捕集し空気は通過させるようになっていて、通気性がある紙や不織布等を使用し角筒状の開放した両端を接着して袋状に形成されている。袋体１１ｂは装着前では図６に示すように折りたたまれていて、塵埃を吸引して展開するとほぼ直方体形状となり、当然ながら折りたたまれている向きの展開長が長くなるようになっていて、約２７０ｍｍとなっている。
【００２９】
前述のように集塵容器８の長辺方向の寸法を大きくしたので、集塵袋１１の袋体１１ｂの長辺方向の展開率が従来５５％程度であったのに対し７４％程度まで拡大され、より大きく展開できるようになっていて、塵埃の集塵容積も大きくなっているのでより多くの塵埃が捕集できるようになっている。
【００３０】
また、前述のように集塵器８が傾斜して収容されているので、後述する集塵袋１１を装着する装着面１３ａに取付けられた集塵袋装着部２７が斜め上方を向くように配設されているので、図２に示すように集塵袋１１の袋体１１ｂが斜め下方にぶら下がる配置となり自重で拡がりやすく、より展開しやすいようになっている。なお、展開率にまだ余裕があるが、集塵袋１１の袋体１１ｂが膨れすぎて破れることがないように余裕を持たせている。
【００３１】
集塵器８の容器部分の集塵器本体１３と蓋体１４は図４、図５に示す、集塵器本体１３側に設けられた軸受け部１５と蓋体１４側に設けられた回動軸部１６とにより、蓋体１４は回動自在に軸支されていて、図７のように開放できるようになっていて、係止手段（図示せず）により集塵器本体１３と係止される。
【００３２】
集塵器本体１３の開口面外周には図７のようにパッキン２６が取付けられている。集塵器８の容器部分は電動送風機２１の吸引性能を低下させないために気密性を確保する必要があり、このパッキン２６により集塵器本体１３と蓋体１４が気密性を保ちながら閉塞できるようになっている
【００３３】
それから、集塵器本体１３の開口面と直交する面の１つが集塵袋１１を装着する装着面１３ａとなっていて、摺動自在で引出し可能に取付けられた集塵袋装着部２７が設けられている。集塵袋装着部２７は図８に示すように樹脂成形で形成された集塵袋装着部本体２７ａと袋体受け部３７でＬ字状に構成されている。袋体受け部３７は通風経路に配置されるため、通風性を考慮して空気が通過し易い様に格子状になっている。
【００３４】
集塵袋装着部本体２７ａには集塵袋１１の装着時に口枠体１１ａの位置を決めるための位置決めリブ３３が設けられている。また、集塵袋装着部本体２７ａには集塵袋１１を装着した状態で集塵袋装着部２７を引出すための引き手部２９が回動自在に軸支されていて、付勢手段（バネ）３０にて集塵袋１１の装着面１３ａと反対方向、つまり集塵袋１１から離れる方向に付勢されていて、集塵袋１１の装着時に邪魔にならないようになっている。
【００３５】
さらに、集塵袋装着部本体２７ａには集塵袋１１が取付けられているか確認するための集塵袋検知手段３１が設けられている。集塵袋検知手段３１は集塵袋１１の口枠体１１ａと接触する位置に設けられていて、集塵袋１１が取付けられていないと先端が集塵袋１１の装着面１３ａと反対方向に突出するように付勢手段（図示せず）により付勢されている。
【００３６】
よって、図１０に示すように蓋体１４の回動範囲まで集塵袋検知手段３１の先端が突出するので、集塵袋１１が取付けられていないと蓋体１４が閉塞できないため、集塵袋１１の取り付け忘れという事態が発生しない。
集塵袋１１が取付けられていると集塵袋検知手段３１は集塵袋１１の口枠体１１ａに押されて突出せず、蓋体１４の回動範囲から外れて蓋体１４が閉塞できるようになる。
【００３７】
集塵袋装着部２７は集塵器本体１３の開口面と直交する装着面１３ａに設けられた摺動保持部２８に、摺動突起２７ｂを摺動自在に保持させて引出し可能に取付けられていて、摺動保持部２８には集塵袋装着部２７の摺動をガイドするためのガイドリブ３２が設けられている。
【００３８】
次に、集塵袋１１の集塵器８への装着について説明すると、図７のように集塵袋１１の展開長が長くなる方向と集塵器８の長辺方向が同一方向となるように、集塵器本体１３の開口面と直交する装着面１３ａに設けられた集塵袋装着部２７とＸ方向と平行に集塵袋１１を移動させると、集塵袋装着部本体２７ａにより図７での左右方向（本体１からみると上下方向）が規制され、前述のガイドリブ３２により口枠体１１ａの後ろ方向（排気口１８方向）への倒れが規制されながら挿入される。ガイドリブ３２は固定されているため、
固定位置まで挿入されても倒れが規制されているが、集塵袋装着部２７を引出すと口枠体１１ａがガイドリブ３２の規制範囲から外れるようになっている。
【００３９】
口枠体１１ａが突き当たる直前の位置に位置決めリブ３３が設けられていて、口枠体１１ａが挿入されていくと置決めリブ３３に設けられている位置決めリブ傾斜部３３ａに沿って突き当たり挿入端側の位置が決められる。開口面と直交している面と平行に装着するので、装着状態がよく確認でき、作業性がよい。
【００４０】
この状態では口枠体１１ａの位置はまだ固定されておらず、蓋体１４を閉塞することで位置が固定される。蓋体１４を閉塞していくと、図９に示すように蓋体１４に設けられた位置決めリブ３４の位置決めリブ傾斜部３４ａに沿って固定位置に口枠体１１ａのもう一端側が移動していき、蓋体１４を完全に閉塞すると口枠体１１ａが固定される。
【００４１】
このとき、引き手部２９が蓋体１４に押されて集塵袋１１側に回動し、口枠体１１ａの端部を保持する位置まで移動するようになっている。
【００４２】
口枠体１１ａが固定されると、口枠体１１と集塵器本体１３の連通口２３外周に設けられたパッキン２５（図７参照）が接触して気密性が確保され、塵埃の横漏れ等が発生せず、吸引された塵埃を含んだ空気は集塵袋に確実に吸引される。
【００４３】
集塵袋１１を装着して電気掃除機を稼働させると、図６、図７に示した折りたたまれた集塵袋１１は、空気が流入して塵埃を捕集することにより図３に示すように展開して膨れる。通気性はあるが空気の抵抗はあるので、空気を吸引するだけでも膨れることになる。大きく膨れる方がより塵埃を捕集できるようになるが、塵埃を捕集する前に大きくなりすぎて集塵器の内壁面に袋体１１ｂが張り付いてしまうと、空気の通り道がなくなり空気の流れる量が低下して吸引性能、すなわち電気掃除機の性能が低下してしまう。
【００４４】
そのため、図９に示すように空気の流れを確保するべく袋体１１ｂが集塵器８の内壁面に張り付かないように規制する膨らみ規制リブ３８ａ、３８ｂが、集塵器本体１３の内壁面に空気の流れる方向と並行して所定の間隔で複数設けられている。同様に蓋体１４にも膨らみ規制リブ３８ｃが、空気の流れる方向と並行して所定の間隔で複数設けられている。
【００４５】
これらの膨らみ規制リブ３８ａ、リブ３８ｂ、３８ｃにより集塵袋１１の袋体１１ｂが図３のように展開して膨れても、集塵器８の内壁面からリブの高さ９ｍｍ程度のところで袋体１１ｂが規制されるので集塵器８の内壁面に張り付くことなく、空気の通り道が確保でき空気が確実に流れるので吸引性能が低下しない。
【００４６】
次に、集塵袋１１の集塵器８からの取り出しについて説明すると、図１１に示すようにシャッター２４が取付けられている方向を上に向け、蓋体１４を開放する。
蓋体１４を開放すると、前述のように蓋体１４に押されて集塵袋１１に近い位置にあった引き手部２９が、付勢手段（バネ）３０の付勢力にて集塵袋１１から離れる方向に移動し
て、手がかけやすくなる位置まで移動する。その後、引き手部２９を引いて集塵袋装着部２７を引出すと集塵袋１１が同時に引出されてくる。従来よりも塵埃の集塵容積が増えて集塵袋の重量が重くなっているが、集塵袋装着部２７が摺動自在に引出せるので、手で集塵袋をつかんで引出さずに済む。
【００４７】
さらに、集塵袋装着部２７を引出すことで、口枠体１１ａがガイドリブ３２の規制範囲から外れるので、集塵袋１１に触ることなく集塵器８から落下させることができ、廃棄処理が容易となり、作業性が向上する。
【００４８】
以上のように本発明の実施の形態においては、集塵器の長辺方向の一側面を開口して
開口面と直交している面と平行に集塵袋を装着するようにしたので、集塵袋の装着位置の確認が容易となりまた装着状態も見易く装着し易くなるので作業性が向上する。
【００４９】
また、本発明の実施の形態においては、集塵器容器の長辺方向の外形寸法を掃除機本体の最小幅寸法よりも大きくして、本体の前側から後側に向かって傾斜するように本体内に収容するようにして、さらに集塵器容器の長辺方向の内形寸法を集塵袋の口枠体の幅寸法の約２倍としたので、本体外形を大きくすることなく集塵容積を拡大でき塵埃の捕集能力が向上する。
【００５０】
よって、集塵容積の拡大により塵埃の捕集能力が向上するので従来よりも集塵袋の交換頻度が少なくなることから、集塵袋の使用枚数が低減でき購入費用を抑制することが可能となる。
【００５１】
さらに、集塵容積が拡大し集塵袋が大きく膨らんでも集塵器の内壁面に張り付かないように規制する膨らみ規制リブを、集塵器本体の内壁面と蓋体に空気の流れる方向と並行して設けたので、空気の流れが確保でき吸引性能が低下しない。
【００５２】
それから、集塵容積が拡大し塵埃の捕集能力が向上することで集塵袋の重量が重くなっても、集塵袋に手を触れることなく集塵袋の装着部と集塵袋と同時に引出せるようにして、集塵袋に手を触ることなく集塵器から集塵袋を落下させるようにしたので、集塵袋の廃棄処理が容易で作業性が向上し、使用済の集塵袋を触らずに済むので衛生性も向上する。
【符号の説明】
【００５３】
１  本体、２  上ケース、３  前ケース、４  下ケース、５  ホース体接続部、６  ホース体、６ａ  挿入部、６ｂ  軟質管部、６ｃ  把持部、６ｄ  操作部、６ｅ  硬質延長管部、６ｆ  吸込具、７  ホース体接続口、８  集塵器、９ａ  車輪、９ｂ  キャスター、１０  集塵器室、１１  集塵袋（紙パック）、１１ａ  口枠体、１１ｂ  袋体、１１ｃ  導入口、１２  ハンドル、１３  集塵器本体、１３ａ  装着面、１４  蓋体、１５  軸受け部、１６  回動軸部、１７  カバー、１８  排気口、１９ａ  連通空気経路、１９ｂ  連通空気経路、２０  電動送風機収納室、２１  電動送風機、２２  制御基板、２３  連通口、２４  シャッター、２４ａ  掛かり部、２５  パッキン、２６  パッキン、２７  集塵袋装着部、２７ａ  集塵袋装着本体、２７ｂ  摺動突起、２８  摺動保持部、２９  引き手部、３０  付勢手段（バネ）、３１  集塵袋検知手段、３２  ガイドリブ、３３  位置決めリブ、３３ａ  位置決めリブ傾斜部、３４  位置決めリブ、３４ａ  位置決めリブ傾斜部、３５ａ  係止解除ボタン、３５ｂ  係止解除ボタン、３６  本体排気口、３７  袋体受け部、３８ａ  膨らみ規制リブ、３８ｂ  膨らみ規制リブ、３８ｃ  膨らみ規制リブ、１００  電気掃除機、Ｘ  集塵袋（紙パック）１１の挿入方向、Ｙ  集塵器８の本体１への取り付け方向、Ｗ  本体幅最小寸法、Ｌ１  集塵器８容器部分の長辺方向外側寸法、Ｌ２  集塵器８容器部分の短辺方向外側寸法、Ｌ３  集塵器８容器部分の長辺方向内側寸法、Ｌ４  口枠体１１ａの幅方向寸法、Ｋ  空気の流れ方向。
【図１】
0005803321.tif 000002
【図２】
0005803321.tif 000003
【図３】
0005803321.tif 000004
【図４】
0005803321.tif 000005
【図５】
0005803321.tif 000006
【図６】
0005803321.tif 000007
【図７】
0005803321.tif 000008
【図８】
0005803321.tif 000009
【図９】
0005803321.tif 000010
【図１０】
0005803321.tif 000011
【図１１】
0005803321.tif 000012